(57)【要約】【課題】磁力を利用して視覚的な癒し効果の期待できる揺動機構を提供する。【解決手段】基板２と、基板２上に配設した第１磁石４と、第１磁石４と磁極を同方向に向け所定間隔離間させて基板２上に配設した第２磁石５と、第１磁石４と第２磁石５との間に磁極を反対方向に向け磁力によって浮遊状態で移動自在に遊嵌させた第３磁石６と、第３磁石６上に固着した固着物（ペン立てキャップ７）とを備え、固着物を揺らした時、固着物が長時間に及んで揺れを持続するように構成されている揺動機構１を提供する。【選択図】図１
2007305492.tif 000002
【特許請求の範囲】
【請求項１】
基板と、前記基板上に配設した第１磁石と、前記第１磁石と磁極を同方向に向け所定間隔離間させて前記基板上に配設した第２磁石と、前記第１磁石と第２磁石との間に磁極を反対方向に向け磁力によって浮遊状態で移動自在に遊嵌させた第３磁石と、前記第３磁石上に固着した固着物とを備え、前記固着物を揺らした時、前記固着物が長時間に及んで揺れを持続するように構成されていることを特徴とする揺動機構。
【請求項２】
基板と、前記基板上に配設した第１磁石と、前記第１磁石と磁極を同方向に向け所定間隔離間させて前記基板上に配設した第２磁石と、前記第１磁石と第２磁石との間に遊嵌状態に配置される中間体と、前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石とを備え、前記中間体は、前記第１磁石と第３磁石との間の吸引力及び前記第２磁石と第４磁石との間の吸引力によって前記第１磁石と第２磁石との間に浮遊状態で移動自在に遊嵌し、前記中間体を揺らした時、前記中間体が長時間に及んで揺れを持続するように構成されていることを特徴とする揺動機構。
【請求項３】
基板と、前記基板上に配設した第１磁石と、前記第１磁石と磁極を同方向に向け所定間隔離間させて前記基板上に配設した第２磁石と、前記第１磁石と第２磁石との間に磁極を反対方向に向け磁力によって浮遊状態で移動自在に遊嵌させた第３磁石と、前記第３磁石の前記基板側に設けた磁石側接点と、前記基板上の前記磁石側接点に対向する位置に設けられた基板側接点とを備え、前記第３磁石を前記基板側に加力することにより前記磁石側接点と前記基板側接点とが接触してスイッチ動作を行なうように構成されたことを特徴とするスイッチ装置。
【請求項４】
基板と、前記基板上に配設した第１磁石と、前記第１磁石と磁極を同方向に向け所定間隔離間させて前記基板上に配設した第２磁石と、前記第１磁石と第２磁石との間に遊嵌状態に配置される中間体と、前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石と、前記中間体の前記基板側に設けた中間体側接点と、前記基板上の前記中間体側接点に対向する位置に設けられた基板側接点とを備え、前記中間体を前記基板側に加力することにより前記中間体側接点と前記基板側接点とが接触してスイッチ動作を行なうように構成されたことを特徴とするスイッチ装置。
【請求項５】
基板と、前記基板上の同一円周上に略等間隔に離間させて配設すると共に、磁極を同方向に向けた第１乃至第４磁石と、前記第１乃至第４磁石の中心部に磁極を反対方向に向け、磁力によって浮遊状態で移動自在に遊嵌させ、可撓部材によって中心に保持された第５磁石と、前記第５磁石の前記基板側外周部に中心部から略等角度離間して配設された４つの第１乃至第４磁石側接点と、前記基板上の前記第１乃至第４磁石側接点に対向する位置に設けられた４つの第１乃至第４基板側接点と、前記第１乃至第４磁石側接点から離間して、前記第５磁石の前記基板側に中心部から略等角度に離間して配設された４つの第５乃至第８磁石側接点と、前記第５磁石が、前記基板面に沿って所定方向に移動する時、前記基板上の前記第５乃至第８磁石側接点に夫々接触自在に前記基板上に設けられた４つの第５乃至第８基板側接点とを備え、前記第５磁石を前記基板側に加力するか、前記基板面に沿って所定方向に加力することにより、前記第１乃至第８磁石側接点と、前記第１乃至第８基板側接点とのいずれかを接触させてスイッチ動作を行なわせ、８方向スイッチとして機能するように構成されたことを特徴とするスイッチ装置。
【請求項６】
基板と、前記基板上の同一円周上に略等間隔に離間させて配設すると共に、磁極を同方向に向けた第１乃至第４磁石と、前記第１磁石乃至第４磁石の間に遊嵌状態に配置され、可撓部材によって中心に保持される中間体と、前記中間体の前記第１磁石乃至第４磁石近傍に夫々固着された第５乃至第８磁石と、前記中間体外周部の前記基板側に中心部から略等角度に離間して配設された４つの第１乃至第４中間体側接点と、前記基板上の前記第１乃至第４中間体側接点に対向する位置に設けられた４つの第１乃至第４基板側接点と、前記第１乃至第４中間体側接点から離間して、前記中間体の前記基板側に中心部から略等角度に離間して配設された４つの第５乃至第８中間体側接点と、前記中間体が前記基板面に沿って所定方向に移動する時、前記第５乃至第８中間体側接点に夫々接触自在に前記基板上に設けられた４つの第５乃至第８基板側接点とを備え、前記中間体を前記基板側に加力して傾斜させるか、前記基板面に沿って所定方向に加力することにより、前記第１乃至第８中間体側接点と、前記第１乃至第８基板側接点とのいずれかを接触させてスイッチ動作を行なわせ、８方向スイッチとして機能するように構成されたことを特徴とするスイッチ装置。
【請求項７】
請求項３又は４記載のスイッチ装置を照明スタンド本体の基台に設けたことを特徴とする照明スタンド。
【請求項８】
前記スイッチ装置の第３磁石又は中間体にペン立てキャップ又は人形を設け、前記第３磁石又は中間体が、前記第１磁石と第２磁石との間に磁力によって浮遊状態で移動自在に遊嵌していることにより、前記ペン立てキャップ又は人形を揺らした時、前記ペン立てキャップ又は人形が長時間に及んで揺れを持続するように構成されていることを特徴とする請求項７記載の照明スタンド。
【発明の詳細な説明】
【技術分野】
【０００１】
本発明は、磁石を用いた揺動機構、磁石の磁力を利用してスイッチ動作を行なわせるスイッチ装置及びそのスイッチ装置を設けた照明スタンドに関する。
【背景技術】
【０００２】
近年磁力や、磁石を利用した種々の商品が開発されている。磁力は、例えば、モータ、電磁弁、健康器具等に用いられる他、医療分野、教育分野、交通手段にも利用されており、更に、今後もその利用拡大が見込まれている。
磁石の磁力は吸引力や反発力を呈するため、例えば、バネ等の代わりに用いることも可能である。
例えば、スイッチ装置等に於いて、従来のバネの代わりに磁石を用いることができるが、磁力は、バネの弾発力とは異なる動きをするため、従来のバネとは異なる効果も期待できる。
【０００３】
一方、スイッチ装置を備えた照明スタンドも広く使用されており、例えば、特許文献１も照明スタンドの１例が記載されている。但し、特許文献１に於いては、スイッチ装置に磁力は利用されていない。
【特許文献１】特開平６−１３１９４０号公報
【発明の開示】
【発明が解決しようとする課題】
【０００４】
前述したように、従来のスイッチ装置のバネの代わりに磁石を用いることができるが、磁石を用いることによって、従来のバネとは異なる効果も期待できる。
即ち、磁力によってバネとは異なる動作や動きをさせることにより、新しい効果が期待できる。
例えば、磁力は、摩擦を伴わない動きが可能であることから、動きを長時間持続させることも可能である。
又、磁力は、物品を固定しないまま保持することが可能であり、それによって、より自由な動きをさせることが可能である。
【０００５】
以上の現状に鑑み、本発明は、磁力を利用して視覚的な癒し効果の期待できる揺動機構を提供することを目的とする。
又、磁力を利用して簡素で操作容易なスイッチ装置を提供することを目的とする。
更に、本発明は、磁力を利用して簡素で操作容易な８方向スイッチ装置を提供することを目的とする。
更に又、本発明は、簡素で操作容易なスイッチ装置を備えた照明スタンドを提供することを目的とする。
そして、本発明は、視覚的な癒し効果のあるペン立てキャップ又は人形を備えた照明スタンドを提供することを目的とする。
【課題を解決するための手段】
【０００６】
上記の課題を解決すべく、本発明は以下の構成を提供する。
請求項１に係る発明は、基板と、前記基板上に配設した第１磁石と、前記第１磁石と磁極を同方向に向け所定間隔離間させて前記基板上に配設した第２磁石と、前記第１磁石と第２磁石との間に磁極を反対方向に向け磁力によって浮遊状態で移動自在に遊嵌させた第３磁石と、前記第３磁石上に固着した固着物とを備え、前記固着物を揺らした時、前記固着物が長時間に及んで揺れを持続するように構成されていることを特徴とする揺動機構を提供するものである。
【０００７】
請求項２に係る発明は、基板と、前記基板上に配設した第１磁石と、前記第１磁石と磁極を同方向に向け所定間隔離間させて前記基板上に配設した第２磁石と、前記第１磁石と第２磁石との間に遊嵌状態に配置される中間体と、前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石とを備え、前記中間体は、前記第１磁石と第３磁石との間の吸引力及び前記第２磁石と第４磁石との間の吸引力によって前記第１磁石と第２磁石との間に浮遊状態で移動自在に遊嵌し、前記中間体を揺らした時、前記中間体が長時間に及んで揺れを持続するように構成されていることを特徴とする揺動機構を提供するものである。
【０００８】
請求項３に係る発明は、基板と、前記基板上に配設した第１磁石と、前記第１磁石と磁極を同方向に向け所定間隔離間させて前記基板上に配設した第２磁石と、前記第１磁石と第２磁石との間に磁極を反対方向に向け磁力によって浮遊状態で移動自在に遊嵌させた第３磁石と、前記第３磁石の前記基板側に設けた磁石側接点と、前記基板上の前記磁石側接点に対向する位置に設けられた基板側接点とを備え、前記第３磁石を前記基板側に加力することにより前記磁石側接点と前記基板側接点とが接触してスイッチ動作を行なうように構成されたことを特徴とするスイッチ装置を提供するものである。
【０００９】
請求項４に係る発明は、基板と、前記基板上に配設した第１磁石と、前記第１磁石と磁極を同方向に向け所定間隔離間させて前記基板上に配設した第２磁石と、前記第１磁石と第２磁石との間に遊嵌状態に配置される中間体と、前記中間体の前記第１磁石近傍に前記第１磁石と磁極を反対方向に向けて固着される第３磁石と、前記中間体の前記第２磁石近傍に前記第２磁石と磁極を反対方向に向けて固着される第４磁石と、前記中間体の前記基板側に設けた中間体側接点と、前記基板上の前記中間体側接点に対向する位置に設けられた基板側接点とを備え、前記中間体を前記基板側に加力することにより前記中間体側接点と前記基板側接点とが接触してスイッチ動作を行なうように構成されたことを特徴とするスイッチ装置を提供するものである。
【００１０】
請求項５に係る発明は、基板と、前記基板上の同一円周上に略等間隔に離間させて配設すると共に、磁極を同方向に向けた第１乃至第４磁石と、前記第１乃至第４磁石の中心部に磁極を反対方向に向け、磁力によって浮遊状態で移動自在に遊嵌させ、可撓部材によって中心に保持された第５磁石と、前記第５磁石の前記基板側外周部に中心部から略等角度離間して配設された４つの第１乃至第４磁石側接点と、前記基板上の前記第１乃至第４磁石側接点に対向する位置に設けられた４つの第１乃至第４基板側接点と、前記第１乃至第４磁石側接点から離間して、前記第５磁石の前記基板側に中心部から略等角度に離間して配設された４つの第５乃至第８磁石側接点と、前記第５磁石が、前記基板面に沿って所定方向に移動する時、前記基板上の前記第５乃至第８磁石側接点に夫々接触自在に前記基板上に設けられた４つの第５乃至第８基板側接点とを備え、前記第５磁石を前記基板側に加力するか、前記基板面に沿って所定方向に加力することにより、前記第１乃至第８磁石側接点と、前記第１乃至第８基板側接点とのいずれかを接触させてスイッチ動作を行なわせ、８方向スイッチとして機能するように構成されたことを特徴とするスイッチ装置を提供するものである。
【００１１】
請求項６に係る発明は、基板と、前記基板上の同一円周上に略等間隔に離間させて配設すると共に、磁極を同方向に向けた第１乃至第４磁石と、前記第１磁石乃至第４磁石の間に遊嵌状態に配置され、可撓部材によって中心に保持される中間体と、前記中間体の前記第１磁石乃至第４磁石近傍に夫々固着された第５乃至第８磁石と、前記中間体外周部の前記基板側に中心部から略等角度に離間して配設された４つの第１乃至第４中間体側接点と、前記基板上の前記第１乃至第４中間体側接点に対向する位置に設けられた４つの第１乃至第４基板側接点と、前記第１乃至第４中間体側接点から離間して、前記中間体の前記基板側に中心部から略等角度に離間して配設された４つの第５乃至第８中間体側接点と、前記中間体が前記基板面に沿って所定方向に移動する時、前記第５乃至第８中間体側接点に夫々接触自在に前記基板上に設けられた４つの第５乃至第８基板側接点とを備え、前記中間体を前記基板側に加力して傾斜させるか、前記基板面に沿って所定方向に加力することにより、前記第１乃至第８中間体側接点と、前記第１乃至第８基板側接点とのいずれかを接触させてスイッチ動作を行なわせ、８方向スイッチとして機能するように構成されたことを特徴とするスイッチ装置を提供するものである。
【００１２】
請求項７に係る発明は、請求項３又は４記載のスイッチ装置を照明スタンド本体の基台に設けたことを特徴とする照明スタンドを提供するものである。
請求項８に係る発明は、前記スイッチ装置の第３磁石又は中間体にペン立てキャップ又は人形を設け、前記第３磁石又は中間体が、前記第１磁石と第２磁石との間に磁力によって浮遊状態で移動自在に遊嵌していることにより、前記ペン立てキャップ又は人形を揺らした時、前記ペン立てキャップ又は人形が長時間に及んで揺れを持続するように構成されていることを特徴とする請求項７記載の照明スタンドを提供するものである。
【発明の効果】
【００１３】
本発明の請求項１記載の発明によれば、磁力を利用して長時間に及んで揺れを持続させることにより揺れによる視覚的な癒し効果が期待できる鑑賞物を提供することができる。
請求項２記載の発明によれば、請求項１記載の発明と同様な効果が期待できると共に、第３及び第４磁石を小形化できるため安価に製作できる。
【００１４】
請求項３記載の発明によれば、磁力を利用して簡素で操作容易なスイッチ装置を提供することができる。
請求項４記載の発明によれば、請求項３記載の発明と同様な効果が期待できると共に、第３及び第４磁石を小形化できるため安価に製作できる。
請求項５記載の発明によれば、磁力を利用して簡素で操作容易な８方向スイッチ装置を提供することができる。
【００１５】
請求項６記載の発明によれば、請求項５記載の発明と同様な効果が期待できると共に、第５乃至第８磁石を小形化できるため安価に製作できる。
請求項７記載の発明によれば、簡素で操作容易な照明スタンドを提供することができる。
請求項８記載の発明によれば、請求項７記載の発明の効果に加え、ペン立てキャップ又は人形を揺らした時、ペン立てキャップ又は人形が長時間に及んで揺れを持続するので、その揺れによって、或いは、揺れによる光と影の変化によって視覚的な癒し効果が期待できる照明スタンドを提供することができる。
【発明を実施するための最良の形態】
【００１６】
以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は本発明による第１実施例の磁石を用いた揺動機構を示し、揺動機構１は、基板２と、基板２上に支持体３を介して配設した第１磁石４と、第１磁石４と磁極を同方向に向け所定間隔離間させて基板２上に支持体３を介して配設した第２磁石５と、第１磁石４と第２磁石５との間に磁極を反対方向に向け磁力によって浮遊状態で移動自在に遊嵌させた第３磁石６と、第３磁石６上に固着した固着物であるペン立てキャップ７とを備えている。尚、図に於いて、８は第３磁石６の揺動を円滑に誘導するための誘導板である。
【００１７】
前記揺動機構１は、第３磁石６が、第１磁石４及び第２磁石５の間で一方又は両方の磁石に磁着しながら浮遊状態に遊嵌し、ペン立てキャップ７を揺らした時、ペン立てキャップ７が長時間に及んで揺れを持続するように構成されており、揺れを持続することによって視覚的な癒し効果が期待できる。従って、前記揺動機構１は、ペン立てキャップの機能を持つと共に、癒し効果を有する鑑賞物としても期待できる。
【００１８】
又、図示は省略するが、前記揺動機構１の変形例として、前記ペン立てキャップ７に代えて人形を前記第３磁石６上に固着しても良い。然る時は、人形としての鑑賞物の効果を有すると共に、人形が揺れを持続することによって視覚的な癒し効果が期待できる。
更に、前記人形に代えて他の鑑賞物を前記第３磁石６上に固着しても良く、然る時も同様の効果が期待できる。
【００１９】
図２に於いて、１１は本発明による第２実施例の磁石を用いた揺動機構を示し、揺動機構１１は、基板２と、基板２上に支持体３を介して配設した第１磁石４と、第１磁石４と磁極を同方向に向け所定間隔離間させて基板２上に支持体３を介して配設した第２磁石５と、第１磁石４と第２磁石５との間に遊嵌状態に配置される円板状の中間体１２と、中間体１２の第１磁石４近傍に第１磁石４と磁極を反対方向に向けて固着される第３磁石１３と、中間体１２の第２磁石５近傍に第２磁石５と磁極を反対方向に向けて固着される第４磁石１４とを備えている。
そして、中間体１２は、第１磁石４と第３磁石１３との間の吸引力及び第２磁石５と第４磁石１４との間の吸引力によって第１磁石４と第２磁石５との間に浮遊状態で移動自在に遊嵌している。
更に、中間体１２上には、ペン立てキャップ７が固着されている。
尚、図に於いて、８は中間体１２の揺動を円滑に誘導するための誘導板である。
【００２０】
而して、前記揺動機構１１は、ペン立てキャップ７を揺らすと、それに伴い中間体１２が揺れ、ペン立てキャップ７及び中間体１２が長時間に及んで揺れを持続する。
【００２１】
前記揺動機構１１は、揺れを持続することによって視覚的な癒し効果が期待できる。従って、前記揺動機構１１は、ペン立てキャップの機能を持つと共に、癒し効果を持つ鑑賞物としての効果も期待できる。
【００２２】
又、図示は省略するが、前記揺動機構１１の変形例として、前記ペン立てキャップ７に代えて人形を前記中間体１２上に固着しても良い。然る時は、人形としての鑑賞物の効果を持つと共に、人形が揺れを持続することによって視覚的な癒し効果が期待できる。
更に、前記人形に代えて他の鑑賞物を前記中間体１２上に固着しても良く、然る時も同様の効果が期待できる。
尚、前記揺動機構１又は１１の第３磁石６又は中間体１２と対向する基板２又は基板２近傍に、例えばマイクロスイッチを設け、第３磁石６又は、中間体１２によってそのマイクロスイッチを操作するようにしてスイッチ装置を構成することも可能である。
【００２３】
図３及び図４に於いて、２１は本発明による第３実施例のスイッチ装置を示し、スイッチ装置２１は、箱状体２２の表面板を形成する基板２３と、基板２３上に支持体２４を介して配設した第１磁石２５と、第１磁石２５と磁極を同方向に向け所定間隔離間させて基板２３上に支持体２４を介して配設した第２磁石２７と、第１磁石２５と第２磁石２７との間に、第１磁石２５と第２磁石２７の磁極と磁極を反対方向に向け磁力によって浮遊状態で移動自在に遊嵌させた第３磁石２８とを備えている。
【００２４】
そして、前記第３磁石２８の基板２３側には、磁石側接点２９が設けられ、基板２３上の磁石側接点２９に対向する位置に基板側接点３０が設けられ、夫々引き出し線３１，３２に接続されている。
更に、前記スイッチ装置２１の第３磁石２８には、ペン立てキャップ３３が立設して設けられている。実際には、ペン立てキャップ３３は、第３磁石２８を貫通して第３磁石２８の下方に露出しており、ペン立てキャップ３３の底部に前記磁石側接点２９が設けられている。
尚、図に於いて、３４は第３磁石２８の揺動を円滑に誘導するための誘導板である。
【００２５】
而して、前記スイッチ装置２１の操作について説明する。
前記ペン立てキャップ３３に鉛筆３５を差し込んだ状態に於いては、矢印の方向に鉛筆３５を下方に加力して押し下げ、鉛筆３５を差し込まない状態に於いては、ペン立てキャップ３３を下方に加力して押し下げると、図５に示す如く、ペン立てキャップ３３に固着された第３磁石２８が下方に押し下げられ、ペン立てキャップ３３の下端に設けられた磁石側接点２９が、基板側接点３０に接触し、スイッチ装置２１がＯＮとなる。
【００２６】
鉛筆３５又はペン立てキャップ３３を下方に押し下げる力が解放されると、磁石側接点２９は、基板側接点３０から離れ元の状態に復帰し、スイッチ装置２１がＯＦＦとなる。
【００２７】
一方、スイッチ機能とは別に前記第３磁石２８は、第１磁石２５と第２磁石２７との間に、第１磁石２５及び第２磁石２７と磁極を反対方向に向け磁力によって浮遊状態で移動自在に遊嵌させた状態にあるので、例えば、鉛筆３５又はペン立てキャップ３３を指で押したり引いたりして揺らした時、第３磁石２８が、第１磁石２５と第２磁石２７と間で揺動を繰り返し、その揺動が持続するので、鉛筆３５又はペン立てキャップ３３が長時間に及んで揺れを持続し、揺れが持続することで視覚的な癒し効果等が期待できる。
尚、前記スイッチ装置２１に於いて、前記ペン立てキャップ３３に代えて人形を設けることも可能であり、然る時は、人形としての鑑賞物の効果を持つと共に、人形が揺れを持続することによって視覚的な癒し効果が期待できる。
【００２８】
図６及び図７に於いて、４１は本発明による第４実施例のスイッチ装置を示し、スイッチ装置４１は、前記スイッチ装置（図３に於いて２１）の第３磁石（図３に於いて２８）に代えて、第１磁石２５と第２磁石２７との間に遊嵌状態に配置される円板状の中間体４２を設け、中間体４２の第１磁石２５近傍に第１磁石２５と磁極を反対方向に向けて第３磁石４３を固着し、中間体４２の第２磁石２７近傍に第２磁石２７と磁極を反対方向に向けて第４磁石４４を固着し、中間体４２の基板２３側に中間体側接点４５を設けたものである。
【００２９】
而して、前記スイッチ装置４１の操作について説明する。
前記ペン立てキャップ３３に鉛筆３５を差し込んだ状態に於いては、矢印の方向に鉛筆３５を下方に加力して押し下げ、鉛筆３５を差し込まない状態に於いては、ペン立てキャップ３３を下方に加力して押し下げると、ペン立てキャップ３３に固着された中間体４２が下方に押し下げられ、ペン立てキャップ３３の下端に設けられた中間体側接点４５が、基板側接点３０に接触し、スイッチ装置４１がＯＮとなる。
【００３０】
鉛筆３５又はペン立てキャップ３３を下方に押し下げる力が解放されると、中間体側接点４５は、基板側接点３０から離れ元の状態に復帰し、スイッチ装置４１がＯＦＦとなる。
【００３１】
一方、スイッチ機能とは別に前記中間体４２は、第１磁石２５と第２磁石２７との間に、磁力によって浮遊状態で移動自在に遊嵌させた状態にあるので、例えば、鉛筆３５又はペン立てキャップ３３を指で押したり引いたりして揺らした時、中間体４２が、第１磁石２５と第２磁石２７と間で揺動を繰り返し、その揺動が持続するので、鉛筆３５又はペン立てキャップ３３が長時間に及んで揺れを持続し、揺れが持続することで視覚的な癒し効果等が期待できる。
尚、前記スイッチ装置４１に於いて、前記ペン立てキャップ３３に代えて人形を設けることも可能であり、然る時は、人形としての鑑賞物の効果を持つと共に、人形が揺れを持続することによって視覚的な癒し効果が期待できる。
【００３２】
図８に於いて、５１は、本発明の第５実施例の照明スタンドであり、照明スタンド５１は、前記スイッチ装置２１又は４１を照明スタンド本体５２の基台５３に設けたものである。
そして、前記スイッチ装置２１又は４１の第３磁石２８又は中間体４２に立設させてペン立てキャップ３３を設けたものである。
【００３３】
照明スタンド５１は、照明が消灯状態の場合に、前記スイッチ装置２１又は４１がＯＮした後、ＯＦＦになった時、照明が点灯し、照明の点灯が維持されるように制御する図示しない適宜の制御装置を備えている。
そして、前記制御装置は、照明が点灯した後、再び、前記スイッチ装置２１又は４１がＯＮした後、ＯＦＦになった時、照明を消灯させ、消灯状態を維持するように構成されている。
【００３４】
一方、スイッチ機能とは別に前記第３磁石２８又は中間体４２は、磁力によって浮遊状態で移動自在に遊嵌させた状態にあるので、例えば、ペン立てキャップ３３又はペン立てキャップ３３に差し込んだ鉛筆３５を指で押したり引いたりして揺らした時、前記第３磁石２８又は中間体４２が、第１磁石２５と第２磁石２７と間で揺動を繰り返し、その揺動が持続するので、ペン立てキャップ３３又は鉛筆３５が長時間に及んで揺れを持続し、揺れが持続することで視覚的な癒し効果等が期待できる。
尚、前記照明スタンド５１に於いて、前記ペン立てキャップ３３に代えて人形を設けることも可能であり、然る時は、人形としての鑑賞物の効果を持つと共に、人形が揺れを持続することによって視覚的な癒し効果が期待できる。
【００３５】
図９に於いて、６１は本発明による第６実施例のスイッチ装置を示し、スイッチ装置６１は、基板６２と、基板６２上の同一円周上に略等間隔に離間して配設された支持体６３，６３…上に載置され、磁極を同方向に向けた第１乃至第４磁石６４〜６７と、第１乃至第４磁石６４〜６７の中心部に、第１乃至第４磁石６４〜６７と磁極を反対方向に向け、磁力によって浮遊状態で移動自在に遊嵌させた第５磁石６８とを備えている。
【００３６】
そして、第５磁石６８の基板６２側外周部に中心部から略等角度離間して４つの第１乃至第４磁石側接点６９〜７２が配設され、基板６２上の前記第１乃至第４磁石側接点６９〜７２に対向する位置に４つの第１乃至第４基板側接点７３〜７６が設けられ、前記第１乃至第４磁石側接点６９〜７２から離間して、第５磁石６８の基板６２側に４つの第５乃至第８磁石側接点７７〜８０が中心部から略等角度に離間して配設され、前記第５磁石６８が基板６２面に沿って所定方向に移動する時、前記第５乃至第８磁石側接点７７〜８０に夫々接触自在に４つの第５乃至第８基板側接点８１〜８４が前記基板６２上に設けられている。尚、図に於いて、各接点からの引き出し線は図示省略されている。
【００３７】
又、前記第５磁石６８を基板６２側に加力するか、基板６２面に沿って加力することにより、第１乃至第８磁石側接点６９〜７２，７７〜８０と、第１乃至第８基板側接点７３〜７６，８１〜８４とのいずれかを接触させてスイッチ動作を行なわせ、８方向スイッチとして機能するように構成されている。
尚、図に於いて８５は、初期状態に於いて前記第５磁石６８を第１乃至第４磁石６４〜６７の中心に位置するように保持する可撓性材料（可撓部材）から成る保持体である。
【００３８】
而して、次に、前記スイッチ装置６１の操作について説明する。
例えば、図９に２点鎖線で示す第５磁石６８のＡ１部分近傍を基板６２側に加力すると、図１０（ａ）に示すように、第５磁石６８が傾斜して、第３磁石側接点７１と、第３基板側接点７５とが接触してスイッチ動作を行なう。次に、第５磁石６８のＡ１部分近傍を加力する力を解放すると、第５磁石６８は直ちに元の位置に戻り第３磁石側接点７１と、第３基板側接点７５とが離反する。
【００３９】
同様に２点鎖線で示す第５磁石６８のＡ２部分近傍を基板６２側に加力すると、第５磁石６８が傾斜して、第４磁石側接点７２と、第４基板側接点７６とが接触してスイッチ動作を行なう。次に、第５磁石６８のＡ２部分近傍を加力する力を解放すると、第５磁石６８は直ちに元の位置に戻り第４磁石側接点７２と、第４基板側接点７６とが離反する。
そして、２点鎖線で示す第５磁石６８のＡ３又はＡ４部分近傍を加力した場合も同様に作用する。
【００４０】
又、例えば、図９に示す矢印Ｂ１の方向に、第５磁石６８を基板６２に沿って加力すると、図１０（ｂ）に示すように、第５磁石６８が基板６２に沿って移動し、第５磁石６８の第７磁石側接点７９と、基板６２上の第７基板側接点８３とが接触してスイッチ動作を行なう。次に、第５磁石６８を加力する力を解放すると、第５磁石６８は直ちに元の位置に戻り第７磁石側接点７９と、第７基板側接点８３とが離反する。
【００４１】
同様に、矢印Ｂ２の方向に、第５磁石６８を基板６２に沿って加力すると、第５磁石６８が基板６２に沿って移動し、第５磁石６８の第８磁石側接点８０と、基板６２上の第８基板側接点８４とが接触してスイッチ動作を行なう。次に、第５磁石６８を加力する力を解放すると、第５磁石６８は直ちに元の位置に戻り第８磁石側接点８０と、第８基板側接点８４とが離反する。
そして、矢印Ｂ３，Ｂ４の方向に、第５磁石６８を基板６２に沿って加力した場合も同様に作用する。
【００４２】
前述したように、前記スイッチ装置６１は、第１乃至第８磁石側接点６９〜７２，７７〜８０と、第１乃至第８基板側接点７３〜７６，８１〜８４とを備え、それらを夫々接触させてスイッチ動作を行なわせ、８方向スイッチとして機能させることができる。
尚、前記スイッチ装置６１に於いても、前記照明スタンド５１で説明した制御装置を設けることが可能であり、制御装置によって、スイッチ装置６１の接離動作を作動体の作動継続、作動停止維持等に変換して作動体を制御することができる。
又、前記スイッチ装置６１を照明スタンドに用いることも可能であり、然る時は、例えば、前記スイッチ装置６１を照明スタンドの種々の調光制御等に利用することができる。
【００４３】
図１１に於いて、９１は本発明による第７実施例のスイッチ装置を示し、スイッチ装置９１は、前記スイッチ装置（図９に於いて６１）の第５磁石（図９に於いて６８）に代えて、前記第１乃至第４磁石６４〜６７の間に遊嵌状態に配置され、保持体８５によって第１乃至第４磁石６４〜６７の中心に保持される中間体９２を設け、中間体９２の第１乃至第４磁石６４〜６７近傍に第５乃至第８磁石９３〜９６を夫々固着し、中間体９２外周部の基板６２側に４つの第１乃至第４中間体側接点９７〜１００を中心部から略等角度に離間して配設し、前記第１乃至第４中間体側接点９７〜１００から離間して、前記中間体９２の基板６２側に４つの第５乃至第８中間体側接点１０１〜１０４を中心部から略等角度に離間して配設したものである。
【００４４】
而して、次に、前記スイッチ装置９１の操作について説明する。
例えば、図１１に２点鎖線で示す中間体９２のＡ１部分近傍を基板６２側に加力すると、中間体９２が傾斜して、第３中間体側接点９９と、第３基板側接点７５とが接触してスイッチ動作を行なう。次に、中間体９２のＡ１部分近傍を加力する力を解放すると、中間体９２は直ちに元の位置に戻り第３中間体側接点９９と、第３基板側接点７５とが離反する。
【００４５】
同様に中間体９２の２点鎖線で示すＡ２部分近傍を基板６２側に加力すると、中間体９２が傾斜して、第４中間体側接点１００と、第４基板側接点７６とが接触してスイッチ動作を行なう。次に、中間体９２のＡ２部分近傍を加力する力を解放すると、中間体９２は直ちに元の位置に戻り第４中間体側接点１００と、第４基板側接点７６とが離反する。
そして、中間体９２の２点鎖線で示すＡ３又はＡ４部分近傍を加力した場合も同様に作用する。
【００４６】
又、例えば、矢印Ｂ１の方向に、中間体９２を基板６２に沿って（平行に）加力すると、中間体９２が基板６２に沿って移動し、中間体９２の第７中間体側接点１０３と、基板６２上の第７基板側接点８３とが接触してスイッチ動作を行なう。次に、中間体９２を加力する力を解放すると、中間体９２は直ちに元の位置に戻り第７中間体側接点１０３と、第７基板側接点８３とが離反する。
【００４７】
同様に、矢印Ｂ２の方向に、中間体９２を基板６２に沿って加力すると、中間体９２が基板６２に沿って移動し、中間体９２の第８中間体側接点１０４と、基板６２上の第８基板側接点８４とが接触してスイッチ動作を行なう。次に、中間体９２を加力する力を解放すると、中間体９２は直ちに元の位置に戻り第８中間体側接点１０４と、第８基板側接点８４とが離反する。
そして、矢印Ｂ３，Ｂ４の方向に、中間体９２を基板６２に沿って加力した場合も同様に作用する。
【００４８】
前述したように、前記スイッチ装置９１は、第１乃至第８中間体側接点９７〜１０４と、第１乃至第８基板側接点７３〜７６，８１〜８４とを備え、それらを夫々接触させてスイッチ動作を行なわせ、８方向スイッチとして機能させることができる。
尚、前記スイッチ装置９１に於いても、前記照明スタンド５１で説明した制御装置を設けることが可能であり、制御装置によって、スイッチ装置９１の接離動作を作動体の作動継続、作動停止維持等に変換して作動体を制御することができる。
又、前記スイッチ装置９１を照明スタンドに用いることも可能であり、然る時は、例えば、前記スイッチ装置９１を照明スタンドの種々の調光制御等に利用することができる。
更に、前述の矢印Ｂ１〜Ｂ４の方向に、中間体９２を基板６２に沿って加力する場合に於いて、中間体９２の端面を加力するが、中間体９２の中央部を下方に加力しながら矢印Ｂ１〜Ｂ４方向に加力しても良く、然る時も同様の効果を得ることができる。
【００４９】
更に又、前記スイッチ装置２１，４１，６１又は９１は照明スタンドに限定されず、例えば、ライトテーブル、キーボード、防犯グッズ、リモコンスイッチ等、種々の機器のスイッチ装置として利用可能である。
そして、前記スイッチ装置２１，４１，６１又は９１は加力することにより接点が接触するように構成したが、押圧、回転、引く等の操作により接点が接触するように構成することも可能である。
又、前記基板２，２３，６２は、基板のみに限定されることなく、他の固形物であっても良く、然る時も同様の効果が期待できる。
【図面の簡単な説明】
【００５０】
【図１】本発明による第１実施例の磁石を用いた揺動機構の斜視図である。
【図２】本発明による第２実施例の磁石を用いた揺動機構の斜視図である。
【図３】本発明による第３実施例のスイッチ装置の斜視図である。
【図４】本発明による第３実施例のスイッチ装置の正面縦断面図である。
【図５】本発明による第３実施例のスイッチ装置の操作を説明する正面縦断面図である。
【図６】本発明による第４実施例のスイッチ装置の斜視図である。
【図７】本発明による第４実施例のスイッチ装置の正面縦断面図である。
【図８】本発明による第５実施例のスイッチ装置を備えた照明スタンドの斜視図である。
【図９】（ａ）本発明による第６実施例のスイッチ装置の平面図である。（ｂ）本発明による第６実施例のスイッチ装置の正面縦断面図である。
【図１０】（ａ）本発明による第６実施例のスイッチ装置の操作を説明する正面縦断面図である。（ｂ）本発明による第６実施例のスイッチ装置の操作を説明する平面図である。
【図１１】（ａ）本発明による第７実施例のスイッチ装置の平面図である。（ｂ）本発明による第７実施例のスイッチ装置の正面縦断面図である。
【符号の説明】
【００５１】
１，１１  揺動機構
２，２３，６２  基板
４，２５，６４  第１磁石
５，２７，６５  第２磁石
６，１３，２８，４３，６６  第３磁石
１２，４２  中間体
１４，４４，６７  第４磁石
２１，４１，６１，９１  スイッチ装置
２９  磁石側接点
３０  基板側接点
３３  ペン立てキャップ
４５  中間体側接点
５１  照明スタンド
５２  照明スタンド本体
５３  基台
６８，９３  第５磁石
６９  第１磁石側接点
７０  第２磁石側接点
７１  第３磁石側接点
７２  第４磁石側接点
７３  第１基板側接点
７４  第２基板側接点
７５  第３基板側接点
７６  第４基板側接点
７７  第５磁石側接点
７８  第６磁石側接点
７９  第７磁石側接点
８０  第８磁石側接点
８１  第５基板側接点
８２  第６基板側接点
８３  第７基板側接点
８４  第８基板側接点
９２  中間体
９４  第６磁石
９５  第７磁石
９６  第８磁石
９７  第１中間体側接点
９８  第２中間体側接点
９９  第３中間体側接点
１００  第４中間体側接点
１０１  第５中間体側接点
１０２  第６中間体側接点
１０３  第７中間体側接点
１０４  第８中間体側接点
【図１】
2007305492.tif 000003
【図２】
2007305492.tif 000004
【図３】
2007305492.tif 000005
【図４】
2007305492.tif 000006
【図５】
2007305492.tif 000007
【図６】
2007305492.tif 000008
【図７】
2007305492.tif 000009
【図８】
2007305492.tif 000010
【図９】
2007305492.tif 000011
【図１０】
2007305492.tif 000012
【図１１】
2007305492.tif 000013
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間を横切る方向に磁極を向け前記第１磁石及び前記第２磁石の一方または両方に磁着させた第３磁石と、前記第３磁石に固着した固着物とを備えて構成されていることを特徴とする揺動機構。
【請求項２】
基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間に配置される中間体と、前記中間体の前記第１磁石近傍に前記第１磁石と第２磁石との間を横切る方向に磁極を向けて固着される第３磁石と、前記中間体の前記第２磁石近傍に前記第３磁石と磁極を同方向に向けて固着される第４磁石とを備え、前記第３及び前記第４磁石は、前記第１磁石と第３磁石との間の吸引力及び前記第２磁石と第４磁石との間の吸引力によって前記第１磁石及び前記第２磁石の一方または両方に磁着するように構成されていることを特徴とする揺動機構。
【請求項３】
基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間を横切る方向に磁極を向け前記第１磁石及び前記第２磁石の一方または両方に磁着させた第３磁石と、前記第３磁石の前記基板側に設けた磁石側接点と、前記基板の前記磁石側接点に対向する位置に設けられた基板側接点とを備え、前記第３磁石を前記基板側に加力することにより前記磁石側接点と前記基板側接点とが接触してスイッチ動作を行なうように構成されたことを特徴とするスイッチ装置。
【請求項４】
基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間に配置される中間体と、前記中間体の前記第１磁石近傍に前記第１磁石と第２磁石との間を横切る方向に磁極を向けて固着される第３磁石と、前記中間体の前記第２磁石近傍に前記第３磁石と磁極を同方向に向けて固着される第４磁石と、前記中間体の前記基板側に設けた中間体側接点と、前記基板の前記中間体側接点に対向する位置に設けられた基板側接点とを備え、前記中間体を前記基板側に加力することにより前記中間体側接点と前記基板側接点とが接触してスイッチ動作を行なうように構成されたことを特徴とするスイッチ装置。
【請求項５】
基板と、前記基板上の同一円周上に略等間隔に離間させて配設すると共に、磁極を同方向に向けた第１乃至第４磁石と、前記第１乃至第４磁石の中心部に磁極を反対方向に向け、磁力によって浮遊状態で移動自在に遊嵌させ、可撓部材によって中心に保持された第５磁石と、前記第５磁石の前記基板側外周部に中心部から略等角度離間して配設された４つの第１乃至第４磁石側接点と、前記基板上の前記第１乃至第４磁石側接点に対向する位置に設けられた４つの第１乃至第４基板側接点と、前記第１乃至第４磁石側接点から離間して、前記第５磁石の前記基板側に中心部から略等角度に離間して配設された４つの第５乃至第８磁石側接点と、前記第５磁石が、前記基板面に沿って所定方向に移動する時、前記基板上の前記第５乃至第８磁石側接点に夫々接触自在に前記基板上に設けられた４つの第５乃至第８基板側接点とを備え、前記第５磁石を前記基板側に加力するか、前記基板面に沿って所定方向に加力することにより、前記第１乃至第８磁石側接点と、前記第１乃至第８基板側接点とのいずれかを接触させてスイッチ動作を行なわせ、８方向スイッチとして機能するように構成されたことを特徴とするスイッチ装置。
【請求項６】
基板と、前記基板上の同一円周上に略等間隔に離間させて配設すると共に、磁極を同方向に向けた第１乃至第４磁石と、前記第１磁石乃至第４磁石の間に遊嵌状態に配置され、可撓部材によって中心に保持される中間体と、前記中間体の前記第１磁石乃至第４磁石近傍に夫々固着された第５乃至第８磁石と、前記中間体外周部の前記基板側に中心部から略等角度に離間して配設された４つの第１乃至第４中間体側接点と、前記基板上の前記第１乃至第４中間体側接点に対向する位置に設けられた４つの第１乃至第４基板側接点と、前記第１乃至第４中間体側接点から離間して、前記中間体の前記基板側に中心部から略等角度に離間して配設された４つの第５乃至第８中間体側接点と、前記中間体が前記基板面に沿って所定方向に移動する時、前記第５乃至第８中間体側接点に夫々接触自在に前記基板上に設けられた４つの第５乃至第８基板側接点とを備え、前記中間体を前記基板側に加力して傾斜させるか、前記基板面に沿って所定方向に加力することにより、前記第１乃至第８中間体側接点と、前記第１乃至第８基板側接点とのいずれかを接触させてスイッチ動作を行なわせ、８方向スイッチとして機能するように構成されたことを特徴とするスイッチ装置。
【請求項７】
請求項３又は４記載のスイッチ装置を照明スタンド本体の基台に設けたことを特徴とする照明スタンド。
【請求項８】
前記スイッチ装置の第３磁石又は中間体にペン立てキャップ又は人形を設け、前記第３磁石又は中間体が、前記第１磁石と第２磁石との間に磁力によって浮遊状態で移動自在に遊嵌していることにより、前記ペン立てキャップ又は人形を揺らした時、前記ペン立てキャップ又は人形が長時間に及んで揺れを持続するように構成されていることを特徴とする請求項７記載の照明スタンド。
【手続補正２】
【補正対象書類名】明細書
【補正対象項目名】全文
【補正方法】変更
【補正の内容】
【発明の詳細な説明】
【技術分野】
【０００１】  本発明は、磁石を用いた揺動機構、磁石の磁力を利用してスイッチ動作を行なわせるスイッチ装置及びそのスイッチ装置を設けた照明スタンドに関する。
【背景技術】
【０００２】  近年磁力や、磁石を利用した種々の商品が開発されている。磁力は、例えば、モータ、電磁弁、健康器具等に用いられる他、医療分野、教育分野、交通手段にも利用されており、更に、今後もその利用拡大が見込まれている。
磁石の磁力は吸引力や反発力を呈するため、例えば、バネ等の代わりに用いることも可能である。
例えば、スイッチ装置等に於いて、従来のバネの代わりに磁石を用いることができるが、磁力は、バネの弾発力とは異なる動きをするため、従来のバネとは異なる効果も期待できる。【０００３】  一方、スイッチ装置を備えた照明スタンドも広く使用されており、例えば、特許文献１も照明スタンドの１例が記載されている。但し、特許文献１に於いては、スイッチ装置に磁力は利用されていない。
【特許文献１】  特開平６−１３１９４０号公報
【発明の開示】
【発明が解決しようとする課題】
【０００４】  前述したように、従来のスイッチ装置のバネの代わりに磁石を用いることができるが、磁石を用いることによって、従来のバネとは異なる効果も期待できる。
即ち、磁力によってバネとは異なる動作や動きをさせることにより、新しい効果が期待できる。
例えば、磁力は、摩擦を伴わない動きが可能であることから、動きを長時間持続させることも可能である。
又、磁力は、物品を固定しないまま保持することが可能であり、それによって、より自由な動きをさせることが可能である。【０００５】  以上の現状に鑑み、本発明は、磁力を利用して視覚的な癒し効果の期待できる揺動機構を提供することを目的とする。
又、磁力を利用して簡素で操作容易なスイッチ装置を提供することを目的とする。
更に、本発明は、磁力を利用して簡素で操作容易な８方向スイッチ装置を提供することを目的とする。
更に又、本発明は、簡素で操作容易なスイッチ装置を備えた照明スタンドを提供することを目的とする。
そして、本発明は、視覚的な癒し効果のあるペン立てキャップ又は人形を備えた照明スタンドを提供することを目的とする。
【課題を解決するための手段】
【０００６】  上記の課題を解決すべく、本発明は以下の構成を提供する。
請求項１に係る発明は、基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間を横切る方向に磁極を向け前記第１磁石及び前記第２磁石の一方または両方に磁着させた第３磁石と、前記第３磁石に固着した固着物とを備えて構成されていることを特徴とする揺動機構を提供するものである。【０００７】  請求項２に係る発明は、基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間に配置される中間体と、前記中間体の前記第１磁石近傍に前記第１磁石と第２磁石との間を横切る方向に磁極を向けて固着される第３磁石と、前記中間体の前記第２磁石近傍に前記第３磁石と磁極を同方向に向けて固着される第４磁石とを備え、前記第３及び前記第４磁石は、前記第１磁石と第３磁石との間の吸引力及び前記第２磁石と第４磁石との間の吸引力によって前記第１磁石及び前記第２磁石の一方または両方に磁着するように構成されていることを特徴とする揺動機構を提供するものである。【０００８】  請求項３に係る発明は、基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間を横切る方向に磁極を向け前記第１磁石及び前記第２磁石の一方または両方に磁着させた第３磁石と、前記第３磁石の前記基板側に設けた磁石側接点と、前記基板の前記磁石側接点に対向する位置に設けられた基板側接点とを備え、前記第３磁石を前記基板側に加力することにより前記磁石側接点と前記基板側接点とが接触してスイッチ動作を行なうように構成されたことを特徴とするスイッチ装置を提供するものである。【０００９】  請求項４に係る発明は、基板と、前記基板から離れる方向に磁極を向け前記基板に配設した第１磁石と、前記第１磁石と磁極を同方向に向け前記第１磁石から所定間隔離間させて前記基板に配設した第２磁石と、前記第１磁石と第２磁石との間に配置される中間体と、前記中間体の前記第１磁石近傍に前記第１磁石と第２磁石との間を横切る方向に磁極を向けて固着される第３磁石と、前記中間体の前記第２磁石近傍に前記第３磁石と磁極を同方向に向けて固着される第４磁石と、前記中間体の前記基板側に設けた中間体側接点と、前記基板の前記中間体側接点に対向する位置に設けられた基板側接点とを備え、前記中間体を前記基板側に加力することにより前記中間体側接点と前記基板側接点とが接触してスイッチ動作を行なうように構成されたことを特徴とするスイッチ装置を提供するものである。【００１０】  請求項５に係る発明は、基板と、前記基板上の同一円周上に略等間隔に離間させて配設すると共に、磁極を同方向に向けた第１乃至第４磁石と、前記第１乃至第４磁石の中心部に磁極を反対方向に向け、磁力によって浮遊状態で移動自在に遊嵌させ、可撓部材によって中心に保持された第５磁石と、前記第５磁���の前記基板側外周部に中心部から略等角度離間して配設された４つの第１乃至第４磁石側接点と、前記基板上の前記第１乃至第４磁石側接点に対向する位置に設けられた４つの第１乃至第４基板側接点と、前記第１乃至第４磁石側接点から離間して、前記第５磁石の前記基板側に中心部から略等角度に離間して配設された４つの第５乃至第８磁石側接点と、前記第５磁石が、前記基板面に沿って所定方向に移動する時、前記基板上の前記第５乃至第８磁石側接点に夫々接触自在に前記基板上に設けられた４つの第５乃至第８基板側接点とを備え、前記第５磁石を前記基板側に加力するか、前記基板面に沿って所定方向に加力することにより、前記第１乃至第８磁石側接点と、前記第１乃至第８基板側接点とのいずれかを接触させてスイッチ動作を行なわせ、８方向スイッチとして機能するように構成されたことを特徴とするスイッチ装置を提供するものである。【００１１】  請求項６に係る発明は、基板と、前記基板上の同一円周上に略等間隔に離間させて配設すると共に、磁極を同方向に向けた第１乃至第４磁石と、前記第１磁石乃至第４磁石の間に遊嵌状態に配置され、可撓部材によって中心に保持される中間体と、前記中間体の前記第１磁石乃至第４磁石近傍に夫々固着された第５乃至第８磁石と、前記中間体外周部の前記基板側に中心部から略等角度に離間して配設された４つの第１乃至第４中間体側接点と、前記基板上の前記第１乃至第４中間体側接点に対向する位置に設けられた４つの第１乃至第４基板側接点と、前記第１乃至第４中間体側接点から離間して、前記中間体の前記基板側に中心部から略等角度に離間して配設された４つの第５乃至第８中間体側接点と、前記中間体が前記基板面に沿って所定方向に移動する時、前記第５乃至第８中間体側接点に夫々接触自在に前記基板上に設けられた４つの第５乃至第８基板側接点とを備え、前記中間体を前記基板側に加力して傾斜させるか、前記基板面に沿って所定方向に加力することにより、前記第１乃至第８中間体側接点と、前記第１乃至第８基板側接点とのいずれかを接触させてスイッチ動作を行なわせ、８方向スイッチとして機能するように構成されたことを特徴とするスイッチ装置を提供するものである。【００１２】  請求項７に係る発明は、請求項３又は４記載のスイッチ装置を照明スタンド本体の基台に設けたことを特徴とする照明スタンドを提供するものである。
請求項８に係る発明は、前記スイッチ装置の第３磁石又は中間体にペン立てキャップ又は人形を設け、前記第３磁石又は中間体が、前記第１磁石と第２磁石との間に磁力によって浮遊状態で移動自在に遊嵌していることにより、前記ペン立てキャップ又は人形を揺らした時、前記ペン立てキャップ又は人形が長時間に及んで揺れを持続するように構成されていることを特徴とする請求項７記載の照明スタンドを提供するものである。
【発明の効果】
【００１３】  本発明の請求項１記載の発明によれば、磁力を利用して長時間に及んで揺れを持続させることにより揺れによる視覚的な癒し効果が期待できる鑑賞物を提供することができる。
請求項２記載の発明によれば、請求項１記載の発明と同様な効果が期待できると共に、第３及び第４磁石を小形化できるため安価に製作できる。【００１４】  請求項３記載の発明によれば、磁力を利用して簡素で操作容易なスイッチ装置を提供することができる。
請求項４記載の発明によれば、請求項３記載の発明と同様な効果が期待できると共に、第３及び第４磁石を小形化できるため安価に製作できる。
請求項５記載の発明によれば、磁力を利用して簡素で操作容易な８方向スイッチ装置を提供することができる。【００１５】  請求項６記載の発明によれば、請求項５記載の発明と同様な効果が期待できると共に、第５乃至第８磁石を小形化できるため安価に製作できる。
請求項７記載の発明によれば、簡素で操作容易な照明スタンドを提供することができる。
請求項８記載の発明によれば、請求項７記載の発明の効果に加え、ペン立てキャップ又は人形を揺らした時、ペン立てキャップ又は人形が長時間に及んで揺れを持続するので、その揺れによって、或いは、揺れによる光と影の変化によって視覚的な癒し効果が期待できる照明スタンドを提供することができる。
【発明を実施するための最良の形態】
【００１６】  以下、実施例を示した図面を参照しつつ本発明の実施の形態を説明する。尚、説明の都合上、後に説明する実施例に於いて、先に説明した実施例と同一構成部分については同一符号を付してその説明を省略する。
図１に於いて、１は本発明による第１実施例の磁石を用いた揺動機構を示し、揺動機構１は、基板２と、基板２上に支持体３を介して配設した第１磁石４と、第１磁石４と磁極を同方向に向け所定間隔離間させて基板２上に支持体３を介して配設した第２磁石５と、第１磁石４と第２磁石５との間に磁極を反対方向に向け磁力によって浮遊状態で移動自在に遊嵌させた第３磁石６と、第３磁石６上に固着した固着物であるペン立てキャップ７とを備えている。尚、図に於いて、８は第３磁石６の揺動を円滑に誘導するための誘導板である。【００１７】  前記揺動機構１は、第３磁石６が、第１磁石４及び第２磁石５の間で一方又は両方の磁石に磁着しながら浮遊状態に遊嵌し、ペン立てキャップ７を揺らした時、ペン立てキャップ７が長時間に及んで揺れを持続するように構成されており、揺れを持続することによって視覚的な癒し効果が期待できる。従って、前記揺動機構１は、ペン立てキャップの機能を持つと共に、癒し効果を有する鑑賞物としても期待できる。【００１８】  又、図示は省略するが、前記揺動機構１の変形例として、前記ペン立てキャップ７に代えて人形を前記第３磁石６上に固着しても良い。然る時は、人形としての鑑賞物の効果を有すると共に、人形が揺れを持続することによって視覚的な癒し効果が期待できる。
更に、前記人形に代えて他の鑑賞物を前記第３磁石６上に固着しても良く、然る時も同様の効果が期待できる。【００１９】  図２に於いて、１１は本発明による第２実施例の磁石を用いた揺動機構を示し、揺動機構１１は、基板２と、基板２上に支持体３を介して配設した第１磁石４と、第１磁石４と磁極を同方向に向け所定間隔離間させて基板２上に支持体３を介して配設した第２磁石５と、第１磁石４と第２磁石５との間に遊嵌状態に配置される円板状の中間体１２と、中間体１２の第１磁石４近傍に第１磁石４と磁極を反対方向に向けて固着される第３磁石１３と、中間体１２の第２磁石５近傍に第２磁石５と磁極を反対方向に向けて固着される第４磁石１４とを備えている。
そして、中間体１２は、第１磁石４と第３磁石１３との間の吸引力及び第２磁石５と第４磁石１４との間の吸引力によって第１磁石４と第２磁石５との間に浮遊状態で移動自在に遊嵌している。
更に、中間体１２上には、ペン立てキャップ７が固着されている。
尚、図に於いて、８は中間体１２の揺動を円滑に誘導するための誘導板である。【００２０】  而して、前記揺動機構１１は、ペン立てキャップ７を揺らすと、それに伴い中間体１２が揺れ、ペン立てキャップ７及び中間体１２が長時間に及んで揺れを持続する。【００２１】  前記揺動機構１１は、揺れを持続することによって視覚的な癒し効果が期待できる。従って、前記揺動機構１１は、ペン立てキャップの機能を持つと共に、癒し効果を持つ鑑賞物としての効果も期待できる。【００２２】  又、図示は省略するが、前記揺動機構１１の変形例として、前記ペン立てキャップ７に代えて人形を前記中間体１２上に固着しても良い。然る時は、人形としての鑑賞物の効果を持つと共に、人形が揺れを持続することによって視覚的な癒し効果が期待できる。
更に、前記人形に代えて他の鑑賞物を前記中間体１２上に固着しても良く、然る時も同様の効果が期待できる。
尚、前記揺動機構１又は１１の第３磁石６又は中間体１２と対向する基板２又は基板２近傍に、例えばマイクロスイッチを設け、第３磁石６又は、中間体１２によってそのマイクロスイッチを操作するようにしてスイッチ装置を構成することも可能である。【００２３】  図３及び図４に於いて、２１は本発明による第３実施例のスイッチ装置を示し、スイッチ装置２１は、箱状体２２の表面板を形成する基板２３と、基板２３上に支持体２４を介して配設した第１磁石２５と、第１磁石２５と磁極を同方向に向け所定間隔離間させて基板２３上に支持体２４を介して配設した第２磁石２７と、第１磁石２５と第２磁石２７との間に、第１磁石２５と第２磁石２７の磁極と磁極を反対方向に向け磁力によって浮遊状態で移動自在に遊嵌させた第３磁石２８とを備えている。【００２４】  そして、前記第３磁石２８の基板２３側には、磁石側接点２９が設けられ、基板２３上の磁石側接点２９に対向する位置に基板側接点３０が設けられ、夫々引き出し線３１，３２に接続されている。
更に、前記スイッチ装置２１の第３磁石２８には、ペン立てキャップ３３が立設して設けられている。実際には、ペン立てキャップ３３は、第３磁石２８を貫通して第３磁石２８の下方に露出しており、ペン立てキャップ３３の底部に前記磁石側接点２９が設けられている。
尚、図に於いて、３４は第３磁石２８の揺動を円滑に誘導するための誘導板である。【００２５】  而して、前記スイッチ装置２１の操作について説明する。
前記ペン立てキャップ３３に鉛筆３５を差し込んだ状態に於いては、矢印の方向に鉛筆３５を下方に加力して押し下げ、鉛筆３５を差し込まない状態に於いては、ペン立てキャップ３３を下方に加力して押し下げると、図５に示す如く、ペン立てキャップ３３に固着された第３磁石２８が下方に押し下げられ、ペン立てキャップ３３の下端に設けられた磁石側接点２９が、基板側接点３０に接触し、スイッチ装置２１がＯＮとなる。【００２６】  鉛筆３５又はペン立てキャップ３３を下方に押し下げる力が解放されると、磁石側接点２９は、基板側接点３０から離れ元の状態に復帰し、スイッチ装置２１がＯＦＦとなる。【００２７】  一方、スイッチ機能とは別に前記第３磁石２８は、第１磁石２５と第２磁石２７との間に、第１磁石２５及び第２磁石２７と磁極を反対方向に向け磁力によって浮遊状態で移動自在に遊嵌させた状態にあるので、例えば、鉛筆３５又はペン立てキャップ３３を指で押したり引いたりして揺らした時、第３磁石２８が、第１磁石２５と第２磁石２７と間で揺動を繰り返し、その揺動が持続するので、鉛筆３５又はペン立てキャップ３３が長時間に及んで揺れを持続し、揺れが持続することで視覚的な癒し効果等が期待できる。
尚、前記スイッチ装置２１に於いて、前記ペン立てキャップ３３に代えて人形を設けることも可能であり、然る時は、人形としての鑑賞物の効果を持つと共に、人形が揺れを持続することによって視覚的な癒し効果が期待できる。【００２８】  図６及び図７に於いて、４１は本発明による第４実施例のスイッチ装置を示し、スイッチ装置４１は、前記スイッチ装置（図３に於いて２１）の第３磁石（図３に於いて２８）に代えて、第１磁石２５と第２磁石２７との間に遊嵌状態に配置される円板状の中間体４２を設け、中間体４２の第１磁石２５近傍に第１磁石２５と磁極を反対方向に向けて第３磁石４３を固着し、中間体４２の第２磁石２７近傍に第２磁石２７と磁極を反対方向に向けて第４磁石４４を固着し、中間体４２の基板２３側に中間体側接点４５を設けたものである。【００２９】  而して、前記スイッチ装置４１の操作について説明する。
前記ペン立てキャップ３３に鉛筆３５を差し込んだ状態に於いては、矢印の方向に鉛筆３５を下方に加力して押し下げ、鉛筆３５を差し込まない状態に於いては、ペン立てキャップ３３を下方に加力して押し下げると、ペン立てキャップ３３に固着された中間体４２が下方に押し下げられ、ペン立てキャップ３３の下端に設けられた中間体側接点４５が、基板側接点３０に接触し、スイッチ装置４１がＯＮとなる。【００３０】  鉛筆３５又はペン立てキャップ３３を下方に押し下げる力が解放されると、中間体側接点４５は、基板側接点３０から離れ元の状態に復帰し、スイッチ装置４１がＯＦＦとなる。【００３１】  一方、スイッチ機能とは別に前記中間体４２は、第１磁石２５と第２磁石２７との間に、磁力によって浮遊状態で移動自在に遊嵌させた状態にあるので、例えば、鉛筆３５又はペン立てキャップ３３を指で押したり引いたりして揺らした時、中間体４２が、第１磁石２５と第２磁石２７と間で揺動を繰り返し、その揺動が持続するので、鉛筆３５又はペン立てキャップ３３が長時間に及んで揺れを持続し、揺れが持続することで視覚的な癒し効果等が期待できる。
尚、前記スイッチ装置４１に於いて、前記ペン立てキャップ３３に代えて人形を設けることも可能であり、然る時は、人形としての鑑賞物の効果を持つと共に、人形が揺れを持続することによって視覚的な癒し効果が期待できる。【００３２】  図８に於いて、５１は、本発明の第５実施例の照明スタンドであり、照明スタンド５１は、前記スイッチ装置２１又は４１を照明スタンド本体５２の基台５３に設けたものである。
そして、前記スイッチ装置２１又は４１の第３磁石２８又は中間体４２に立設させてペン立てキャップ３３を設けたものである。【００３３】  照明スタンド５１は、照明が消灯状態の場合に、前記スイッチ装置２１又は４１がＯＮした後、ＯＦＦになった時、照明が点灯し、照明の点灯が維持されるように制御する図示しない適宜の制御装置を備えている。
そして、前記制御装置は、照明が点灯した後、再び、前記スイッチ装置２１又は４１がＯＮした後、ＯＦＦになった時、照明を消灯させ、消灯状態を維持するように構成されている。【００３４】  一方、スイッチ機能とは別に前記第３磁石２８又は中間体４２は、磁力によって浮遊状態で移動自在に遊嵌させた状態にあるので、例えば、ペン立てキャップ３３又はペン立てキャップ３３に差し込んだ鉛筆３５を指で押したり引いたりして揺らした時、前記第３磁石２８又は中間体４２が、第１磁石２５と第２磁石２７と間で揺動を繰り返し、その揺動が持続するので、ペン立てキャップ３３又は鉛筆３５が長時間に及んで揺れを持続し、揺れが持続することで視覚的な癒し効果等が期待できる。
尚、前記照明スタンド５１に於いて、前記ペン立てキャップ３３に代えて人形を設けることも可能であり、然る時は、人形としての鑑賞物の効果を持つと共に、人形が揺れを持続することによって視覚的な癒し効果が期待できる。【００３５】  図９に於いて、６１は本発明による第６実施例のスイッチ装置を示し、スイッチ装置６１は、基板６２と、基板６２上の同一円周上に略等間隔に離間して配設された支持体６３，６３…上に載置され、磁極を同方向に向けた第１乃至第４磁石６４〜６７と、第１乃至第４磁石６４〜６７の中心部に、第１乃至第４磁石６４〜６７と磁極を反対方向に向け、磁力によって浮遊状態で移動自在に遊嵌させた第５磁石６８とを備えている。【００３６】  そして、第５磁石６８の基板６２側外周部に中心部から略等角度離間して４つの第１乃至第４磁石側接点６９〜７２が配設され、基板６２上の前記第１乃至第４磁石側接点６９〜７２に対向する位置に４つの第１乃至第４基板側接点７３〜７６が設けられ、前記第１乃至第４磁石側接点６９〜７２から離間して、第５磁石６８の基板６２側に４つの第５乃至第８磁石側接点７７〜８０が中心部から略等角度に離間して配設され、前記第５磁石６８が基板６２面に沿って所定方向に移動する時、前記第５乃至第８磁石側接点７７〜８０に夫々接触自在に４つの第５乃至第８基板側接点８１〜８４が前記基板６２上に設けられている。尚、図に於いて、各接点からの引き出し線は図示省略されている。【００３７】  又、前記第５磁石６８を基板６２側に加力するか、基板６２面に沿って加力することにより、第１乃至第８磁石側接点６９〜７２，７７〜８０と、第１乃至第８基板側接点７３〜７６，８１〜８４とのいずれかを接触させてスイッチ動作を行なわせ、８方向スイッチとして機能するように構成されている。
尚、図に於いて８５は、初期状態に於いて前記第５磁石６８を第１乃至第４磁石６４〜６７の中心に位置するように保持する可撓性材料（可撓部材）から成る保持体である。【００３８】  而して、次に、前記スイッチ装置６１の操作について説明する。
例えば、図９に２点鎖線で示す第５磁石６８のＡ１部分近傍を基板６２側に加力すると、図１０（ａ）に示すように、第５磁石６８が傾斜して、第３磁石側接点７１と、第３基板側接点７５とが接触してスイッチ動作を行なう。次に、第５磁石６８のＡ１部分近傍を加力する力を解放すると、第５磁石６８は直ちに元の位置に戻り第３磁石側接点７１と、第３基板側接点７５とが離反する。【００３９】  同様に２点鎖線で示す第５磁石６８のＡ２部分近傍を基板６２側に加力すると、第５磁石６８が傾斜して、第４磁石側接点７２と、第４基板側接点７６とが接触してスイッチ動作を行なう。次に、第５磁石６８のＡ２部分近傍を加力する力を解放すると、第５磁石６８は直ちに元の位置に戻り第４磁石側接点７２と、第４基板側接点７６とが離反する。
そして、２点鎖線で示す第５磁石６８のＡ３又はＡ４部分近傍を加力した場合も同様に作用する。【００４０】  又、例えば、図９に示す矢印Ｂ１の方向に、第５磁石６８を基板６２に沿って加力すると、図１０（ｂ）に示すように、第５磁石６８が基板６２に沿って移動し、第５磁石６８の第７磁石側接点７９と、基板６２上の第７基板側接点８３とが接触してスイッチ動作を行なう。次に、第５磁石６８を加力する力を解放すると、第５磁石６８は直ちに元の位置に戻り第７磁石側接点７９と、第７基板側接点８３とが離反する。【００４１】  同様に、矢印Ｂ２の方向に、第５磁石６８を基板６２に沿って加力すると、第５磁石６８が基板６２に沿って移動し、第５磁石６８の第８磁石側接点８０と、基板６２上の第８基板側接点８４とが接触してスイッチ動作を行なう。次に、第５磁石６８を加力する力を解放すると、第５磁石６８は直ちに元の位置に戻り第８磁石側接点８０と、第８基板側接点８４とが離反する。
そして、矢印Ｂ３，Ｂ４の方向に、第５磁石６８を基板６２に沿って加力した場合も同様に作用する。【００４２】  前述したように、前記スイッチ装置６１は、第１乃至第８磁石側接点６９〜７２，７７〜８０と、第１乃至第８基板側接点７３〜７６，８１〜８４とを備え、それらを夫々接触させてスイッチ動作を行なわせ、８方向スイッチとして機能させることができる。
尚、前記スイッチ装置６１に於いても、前記照明スタンド５１で説明した制御装置を設けることが可能であり、制御装置によって、スイッチ装置６１の接離動作を作動体の作動継続、作動停止維持等に変換して作動体を制御することができる。
又、前記スイッチ装置６１を照明スタンドに用いることも可能であり、然る時は、例えば、前記スイッチ装置６１を照明スタンドの種々の調光制御等に利用することができる。【００４３】  図１１に於いて、９１は本発明による第７実施例のスイッチ装置を示し、スイッチ装置９１は、前記スイッチ装置（図９に於いて６１）の第５磁石（図９に於いて６８）に代えて、前記第１乃至第４磁石６４〜６７の間に遊嵌状態に配置され、保持体８５によって第１乃至第４磁石６４〜６７の中心に保持される中間体９２を設け、中間体９２の第１乃至第４磁石６４〜６７近傍に第５乃至第８磁石９３〜９６を夫々固着し、中間体９２外周部の基板６２側に４つの第１乃至第４中間体側接点９７〜１００を中心部から略等角度に離間して配設し、前記第１乃至第４中間体側接点９７〜１００から離間して、前記中間体９２の基板６２側に４つの第５乃至第８中間体側接点１０１〜１０４を中心部から略等角度に離間して配設したものである。【００４４】  而して、次に、前記スイッチ装置９１の操作について説明する。
例えば、図１１に２点鎖線で示す中間体９２のＡ１部分近傍を基板６２側に加力すると、中間体９２が傾斜して、第３中間体側接点９９と、第３基板側接点７５とが接触してスイッチ動作を行なう。次に、中間体９２のＡ１部分近傍を加力する力を解放すると、中間体９２は直ちに元の位置に戻り第３中間体側接点９９と、第３基板側接点７５とが離反する。【００４５】  同様に中間体９２の２点鎖線で示すＡ２部分近傍を基板６２側に加力すると、中間体９２が傾斜して、第４中間体側接点１００と、第４基板側接点７６とが接触してスイッチ動作を行なう。次に、中間体９２のＡ２部分近傍を加力する力を解放すると、中間体９２は直ちに元の位置に戻り第４中間体側接点１００と、第４基板側接点７６とが離反する。
そして、中間体９２の２点鎖線で示すＡ３又はＡ４部分近傍を加力した場合も同様に作用する。【００４６】  又、例えば、矢印Ｂ１の方向に、中間体９２を基板６２に沿って（平行に）加力すると、中間体９２が基板６２に沿って移動し、中間体９２の第７中間体側接点１０３と、基板６２上の第７基板側接点８３とが接触してスイッチ動作を行なう。次に、中間体９２を加力する力を解放すると、中間体９２は直ちに元の位置に戻り第７中間体側接点１０３と、第７基板側接点８３とが離反する。【００４７】  同様に、矢印Ｂ２の方向に、中間体９２を基板６２に沿って加力すると、中間体９２が基板６２に沿って移動し、中間体９２の第８中間体側接点１０４と、基板６２上の第８基板側接点８４とが接触してスイッチ動作を行なう。次に、中間体９２を加力する力を解放すると、中間体９２は直ちに元の位置に戻り第８中間体側接点１０４と、第８基板側接点８４とが離反する。
そして、矢印Ｂ３，Ｂ４の方向に、中間体９２を基板６２に沿って加力した場合も同様に作用する。【００４８】  前述したように、前記スイッチ装置９１は、第１乃至第８中間体側接点９７〜１０４と、第１乃至第８基板側接点７３〜７６，８１〜８４とを備え、それらを夫々接触させてスイッチ動作を行なわせ、８方向スイッチとして機能させることができる。
尚、前記スイッチ装置９１に於いても、前記照明スタンド５１で説明した制御装置を設けることが可能であり、制御装置によって、スイッチ装置９１の接離動作を作動体の作動継続、作動停止維持等に変換して作動体を制御することができる。
又、前記スイッチ装置９１を照明スタンドに用いることも可能であり、然る時は、例えば、前記スイッチ装置９１を照明スタンドの種々の調光制御等に利用することができる。
更に、前述の矢印Ｂ１〜Ｂ４の方向に、中間体９２を基板６２に沿って加力する場合に於いて、中間体９２の端面を加力するが、中間体９２の中央部を下方に加力しながら矢印Ｂ１〜Ｂ４方向に加力しても良く、然る時も同様の効果を得ることができる。【００４９】  更に又、前記スイッチ装置２１，４１，６１又は９１は照明スタンドに限定されず、例えば、ライトテーブル、キーボード、防犯グッズ、リモコンスイッチ等、種々の機器のスイッチ装置として利用可能である。
そして、前記スイッチ装置２１，４１，６１又は９１は加力することにより接点が接触するように構成したが、押圧、回転、引く等の操作により接点が接触するように構成することも可能である。
又、前記基板２，２３，６２は、基板のみに限定されることなく、他の固形物であっても良く、然る時も同様の効果が期待できる。
【図面の簡単な説明】
【００５０】
【図１】  本発明による第１実施例の磁石を用いた揺動機構の斜視図である。
【図２】  本発明による第２実施例の磁石を用いた揺動機構の斜視図である。
【図３】  本発明による第３実施例のスイッチ装置の斜視図である。
【図４】  本発明による第３実施例のスイッチ装置の正面縦断面図である。
【図５】  本発明による第３実施例のスイッチ装置の操作を説明する正面縦断面図である。
【図６】  本発明による第４実施例のスイッチ装置の斜視図である。
【図７】  本発明による第４実施例のスイッチ装置の正面縦断面図である。
【図８】  本発明による第５実施例のスイッチ装置を備えた照明スタンドの斜視図である。
【図９】  （ａ）本発明による第６実施例のスイッチ装置の平面図である。（ｂ）本発明による第６実施例のスイッチ装置の正面縦断面図である。
【図１０】  （ａ）本発明による第６実施例のスイッチ装置の操作を説明する正面縦断面図である。（ｂ）本発明による第６実施例のスイッチ装置の操作を説明する平面図である。
【図１１】  （ａ）本発明による第７実施例のスイッチ装置の平面図である。（ｂ）本発明による第７実施例のスイッチ装置の正面縦断面図である。
【符号の説明】
【００５１】    １，１１  揺動機構
２，２３，６２  基板
４，２５，６４  第１磁石
５，２７，６５  第２磁石
６，１３，２８，４３，６６  第３磁石
１２，４２  中間体
１４，４４，６７  第４磁石
２１，４１，６１，９１  スイッチ装置
２９  磁石側接点
３０  基板側接点
３３  ペン立てキャップ
４５  中間体側接点
５１  照明スタンド
５２  照明スタンド本体
５３  基台
６８，９３  第５磁石
６９  第１磁石側接点
７０  第２磁石側接点
７１  第３磁石側接点
７２  第４磁石側接点
７３  第１基板側接点
７４  第２基板側接点
７５  第３基板側接点
７６  第４基板側接点
７７  第５磁石側接点
７８  第６磁石側接点
７９  第７磁石側接点
８０  第８磁石側接点
８１  第５基板側接点
８２  第６基板側接点
８３  第７基板側接点
８４  第８基板側接点
９２  中間体
９４  第６磁石
９５  第７磁石
９６  第８磁石
９７  第１中間体側接点
９８  第２中間体側接点
９９  第３中間体側接点
１００  第４中間体側接点
１０１  第５中間体側接点
１０２  第６中間体側接点
１０３  第７中間体側接点
１０４  第８中間体側接点